(57)【要約】【課題】本発明は、立体映像表示装置およびその駆動方法、立体映像表示装置のためのデータ駆動装置およびシャッタ眼鏡に関する。【解決手段】立体映像表示装置は、複数の画素を含む表示部と、前記複数の画素に第１視点（ｖｉｅｗ  ｐｏｉｎｔ）のための第１映像データを入力し、前記第１映像データを入力した後に前記複数の画素に第２視点のための第２映像データを入力し、前記第２映像データを入力した後に前記複数の画素に前記第２視点のための第３映像データを入力し、前記第３映像データを入力した後に前記複数の画素に前記第１視点のための第４映像データを入力するデータ駆動部とを含む。シャッタ眼鏡を用いる時分割方式の立体映像表示装置は、立体映像を表示するためのデータを入力する駆動速度を低めることができ、ブラックデータによる輝度減少を減らすことができ、消費電力を低めることができる。【選択図】図４
2012105245.tif 000002
【特許請求の範囲】
【請求項１】
複数の画素を含む表示部；および
前記複数の画素に第１視点（ｖｉｅｗ  ｐｏｉｎｔ）のための第１映像データを入力し、前記第１映像データを入力した後に前記複数の画素に第２視点のための第２映像データを入力し、前記第２映像データを入力した後に前記複数の画素に前記第２視点のための第３映像データを入力し、前記第３映像データを入力した後に前記複数の画素に前記第１視点のための第４映像データを入力するデータ駆動部；
を含む、立体映像表示装置。
【請求項２】
前記第１映像データおよび前記第２映像データは立体映像１フレームを表示するための映像データであり、前記第３映像データおよび前記第４映像データは前記立体映像１フレームに後続する異なる立体映像１フレームを表示するための映像データである、請求項１に記載の立体映像表示装置。
【請求項３】
前記データ駆動部は、前記第１映像データを入力した後、前記第２映像データが入力される前に前記複数の画素にブラックデータを入力する、請求項１または２に記載の立体映像表示装置。
【請求項４】
前記データ駆動部は、前記第３映像データを入力した後、前記第４映像データが入力される前に前記複数の画素にブラックデータを入力する、請求項１〜３のいずれか１項に記載の立体映像表示装置。
【請求項５】
前記第１映像データおよび前記第２映像データによって１フレームの第１立体映像が表示され、前記第３映像データおよび前記第４映像データによって前記第１立体映像に後続する１フレームの第２立体映像が表示される、請求項１〜４のいずれか１項に記載の立体映像表示装置。
【請求項６】
前記複数の画素は前記表示部にマトリックス形態で配列され、前記第１映像データ、前記第２映像データ、前記第３映像データ、前記第４映像データ、および前記ブラックデータは前記複数の画素に順次に入力される、請求項１〜５のいずれか１項に記載の立体映像表示装置。
【請求項７】
ディスプレイパネルに第１視点のための第１映像を表示する段階；
前記第１映像を表示した後、前記ディスプレイパネルに第２視点のための第２映像を表示する段階；
前記第２映像を表示した後、前記ディスプレイパネルに前記第２視点のための第３映像を表示する段階；および
前記第３映像を表示した後、前記ディスプレイパネルに前記第１視点のための第４映像を表示する段階；
を含む、立体映像表示装置の駆動方法。
【請求項８】
前記ディスプレイパネルはマトリックス形態で配列される複数の画素を含み、前記複数の画素に映像の表示のためのデータを順次に入力して映像を表示する、請求項７に記載の立体映像表示装置の駆動方法。
【請求項９】
前記複数の画素に前記第１映像の表示のための第１映像データが入力された後、前記第２映像の表示のための第２映像データが入力される前に前記複数の画素にブラックデータを入力する、請求項７または８に記載の立体映像表示装置の駆動方法。
【請求項１０】
前記複数の画素に前記第３映像の表示のための第３映像データが入力された後、前記第４映像の表示のための第４映像データが入力される前に前記複数の画素にブラックデータを入力する、請求項７〜９のいずれか１項に記載の立体映像表示装置の駆動方法。
【請求項１１】
前記第１映像データおよび前記第２映像データは立体映像１フレームを表示するための映像データであり、前記第３映像データおよび前記第４映像データは前記立体映像１フレームに後続する異なる立体映像１フレームを表示するための映像データである、請求項７〜１０のいずれか１項に記載の立体映像表示装置の駆動方法。
【請求項１２】
複数の画素を含む表示部を駆動するデータ駆動装置であって、
前記複数の画素に第１視点のための第１映像データを出力し、前記第１映像データを出力した後に前記第１視点のための第２映像データを出力する第１データ駆動部；および
前記第２映像データが出力された後、前記複数の画素に第２視点のための第３映像データを出力し、前記第３映像データを出力した後に前記第２視点のための第４映像データを出力する第２データ駆動部；
を含む、立体映像表示装置のためのデータ駆動装置。
【請求項１３】
前記第２映像データが出力された後、前記第３映像データが出力される前に前記複数の画素にブラックデータを出力するブラックデータ駆動部をさらに含む、請求項１２に記載のデータ駆動装置。
【請求項１４】
前記ブラックデータによって区分される前記第２映像データと前記第３映像データは、立体映像１フレームを表示するための映像データである、請求項１３に記載のデータ駆動装置。
【請求項１５】
立体映像表示装置で表示される第１視点のための映像が可視化するように開閉する第１シャッタ；
前記立体映像表示装置で表示される第２視点のための映像が可視化するように開閉する第２シャッタ；および
前記立体映像表示装置に同期されて前記第１シャッタおよび前記第２シャッタを駆動させるシャッタ駆動部；
を含み、
前記シャッタ駆動部は、前記第１視点のための第１映像が可視化するように前記第１シャッタを開放させ、前記第１映像が可視化した後に前記第２視点のための第２映像が可視化するように前記第２シャッタを開放させ、前記第２映像が可視化した後に前記第２視点のための第３映像が可視化するように前記第２シャッタを開放させ、前記第３映像が可視化した後に前記第１視点のための第４映像が可視化するように前記第１シャッタを開放させる、立体映像表示装置のためのシャッタ眼鏡。
【発明の詳細な説明】
【技術分野】
【０００１】
本発明は立体映像表示装置およびその駆動方法、立体映像表示装置のためのデータ駆動装置およびシャッタ眼鏡に関し、より詳細には、データ駆動装置の駆動速度を低めて輝度を高めることができる立体映像表示装置およびその駆動方法、立体映像表示装置のためのデータ駆動装置およびシャッタ眼鏡に関する。
【背景技術】
【０００２】
立体映像表示装置は、事物が人間と近くにあれば両目の視差が大きくなり、遠くにあれば両目の視差が小さくなるという両眼視差の原理を利用し、２次元映像で３次元立体感を実現する。例えば、画面に左右映像を一致させて表示すれば物体が画面の上にあるように感じられるが、左眼映像を左側に配置して右眼映像を右側に配置すれば物体が画面の後方にあるように感じられ、左眼映像を右側に配置して右眼映像を左側に配置すれば物体が画面の前方にあるように感じられる。このとき、物体の深さ感は、画面に配置された左右映像の差の間隔によって決定される。
【先行技術文献】
【特許文献】
【０００３】
【特許文献１】韓国公開特許第１０−２０１０−００１７７２５号公報
【発明の概要】
【発明が解決しようとする課題】
【０００４】
立体映像を表示する最も周知の方法として、補色関係にあるカラーフィルタを用いる色眼鏡により、赤青色で表示される左眼映像と右眼映像を分離選択する方式がある。また、左眼映像と右眼映像が互いに異なる偏光で表示され、これを偏光眼鏡によって分離選択する方式がある。色眼鏡を用いる方式は物体を天然色で表示できないという短所があり、偏光眼鏡を用いる方式は偏光能によって左眼映像が右眼に示されたり右眼映像が左眼に示されるようになり、立体感が低下するという短所がある。
【０００５】
本発明は上述したような問題点を解決するために案出されたものであって、シャッタ眼鏡を用いる時割方式の立体映像表示装置の駆動速度を低めて映像の輝度を高めることができる立体映像表示装置およびその駆動方法、立体映像表示装置のためのデータ駆動装置およびシャッタ眼鏡を提供することを目的とする。
【課題を解決するための手段】
【０００６】
本発明の一実施形態に係る立体映像表示装置は、複数の画素を含む表示部と、前記複数の画素に第１視点（ｖｉｅｗ  ｐｏｉｎｔ）のための第１映像データを入力し、前記第１映像データを入力した後に前記複数の画素に第２視点のための第２映像データを入力し、前記第２映像データを入力した後に前記複数の画素に前記第２視点のための第３映像データを入力し、前記第３映像データを入力した後に前記複数の画素に前記第１視点のための第４映像データを入力するデータ駆動部とを含む。
【０００７】
前記第１映像データおよび前記第２映像データは立体映像１フレームを表示するための映像データであり、前記第３映像データおよび前記第４映像データは前記立体映像したフレームに後続する異なる立体映像１フレームを表示するための映像データであってもよい。
【０００８】
前記データ駆動部は、前記第１映像データを入力した後、前記第２映像データが入力される前に前記複数の画素にブラックデータを入力してもよい。
【０００９】
前記データ駆動部は、前記第３映像データを入力した後、前記第４映像データが入力される前に前記複数の画素にブラックデータを入力してもよい。
【００１０】
前記第１映像データおよび前記第２映像データによって１フレームの第１立体映像が表示され、前記第３映像データおよび前記第４映像データによって前記第１立体映像に後続する１フレームの第２立体映像が表示されてもよい。
【００１１】
前記複数の画素は前記表示部にマトリックス形態で配列され、前記第１映像データ、前記第２映像データ、前記第３映像データ、前記第４映像データ、および前記ブラックデータは前記複数の画素に順次に入力されてもよい。
【００１２】
本発明の他の実施形態に係る立体映像表示装置の駆動方法は、ディスプレイパネルに第１視点のための第１映像を表示する段階と、前記第１映像を表示した後に前記ディスプレイパネルに第２視点のための第２映像を表示する段階と、前記第２映像を表示した後に前記ディスプレイパネルに前記第２視点のための第３映像を表示する段階と、前記第３映像を表示した後に前記ディスプレイパネルに前記第１視点のための第４映像を表示する段階とを含む。
【００１３】
前記ディスプレイパネルはマトリックス形態で配列される複数の画素を含み、前記複数の画素に映像の表示のためのデータを順次に入力して映像を表示してもよい。
【００１４】
前記複数の画素に前記第１映像の表示のための第１映像データが入力された後、前記第２映像の表示のための第２映像データが入力される前に前記複数の画素にブラックデータを入力してもよい。
【００１５】
前記複数の画素に前記第３映像の表示のための第３映像データが入力された後、前記第４映像の表示のための第４映像データが入力される前に前記複数の画素にブラックデータを入力してもよい。
【００１６】
前記第１映像データおよび前記第２映像データは立体映像１フレームを表示するための映像データであり、前記第３映像データおよび前記第４映像データは前記立体映像１フレームに後続する異なる立体映像１フレームを表示するための映像データであってもよい。
【００１７】
本発明の他の実施形態に係る複数の画素を含む表示部を駆動するデータ駆動装置は、前記複数の画素に第１視点のための第１映像データを出力し、前記第１映像データを出力した後に前記第１視点のための第２映像データを出力する第１データ駆動部と、前記第２映像データが出力された後に前記複数の画素に第２視点のための第３映像データを出力し、前記第３映像データを出力した後に前記第２視点のための第４映像データを出力する第２データ駆動部とを含む。
【００１８】
前記第２映像データが出力された後、前記第３映像データが出力される前に前記複数の画素にブラックデータを出力するブラックデータ駆動部をさらに含んでもよい。
【００１９】
前記ブラックデータによって区分される前記第２映像データと前記第３映像データは、立体映像１フレームを表示するための映像データであってもよい。
【００２０】
本発明の他の実施形態に係る立体映像表示装置のためのシャッタ眼鏡は、立体映像表示装置で表示される第１視点のための映像が可視化するように開閉する第１シャッタと、前記立体映像表示装置で表示される第２視点のための映像が可視化するように開閉する第２シャッタと、前記立体映像表示装置に同期されて前記第１シャッタおよび前記第２シャッタを駆動させるシャッタ駆動部とを含み、前記シャッタ駆動部は、前記第１視点のための第１映像が可視化するように前記第１シャッタを開放させ、前記第１映像が可視化された後に前記第２視点のための第２映像が可視化するように前記第２シャッタを開放させ、前記第２映像が可視化した後に前記第２視点のための第３映像が可視化するように前記第２シャッタを開放させ、前記第３映像が可視化した後に前記第１視点のための第４映像が可視化するように前記第１シャッタを開放させる。
【発明の効果】
【００２１】
本発明の一実施形態に係るシャッタ眼鏡を用いる時分割方式の立体映像表示装置は、立体映像を表示するためのデータを入力する駆動速度を低めることができ、ブラックデータによる輝度減少を減らすことができ、消費電力を低めることができる。
【図面の簡単な説明】
【００２２】
【図１】本発明の一実施形態に係る立体映像表示装置を示すブロック図である。
【図２】一実施形態に係る画素を示す回路図である。
【図３】映像単位交換方式の立体映像表示装置の駆動動作の一例を示す図である。
【図４】本発明の一実施形態に係るフレーム単位交換方式の立体映像表示装置の駆動動作を示す図である。
【図５】本発明に一実施形態に係るフレーム単位交換方式の立体映像表示装置の駆動方法を示すフローチャートである。
【図６】本発明の一実施形態に係るフレーム単位交換方式と映像単位交換方式を比較して示す図である。
【図７】本発明の一実施形態に係る立体映像表示装置のためのシャッタ眼鏡を簡略に示すブロック図である。
【図８】本発明の一実施形態に係る立体映像表示装置のためのシャッタ眼鏡の動作を示す図である。
【発明を実施するための形態】
【００２３】
以下、添付の図面を参照しながら、本発明の実施形態について、本発明が属する技術分野において通常の知識を有する者が容易に実施できるように詳しく説明する。本発明は多様に相違した形態で実現することができ、ここで説明する実施形態に限定されるものではない。
【００２４】
また、多様な実施形態において、同じ構成を有する構成要素については同じ符号を用いて代表的に第１実施形態で説明して、その他の実施形態では第１実施形態と相違した構成についてのみ説明する。
【００２５】
本発明を明確に説明するために説明上で不必要な部分は省略し、明細書全体に渡って同一または類似する構成要素については同一する参照符号を付与する。
【００２６】
明細書全体において、ある部分が他の部分と「連結」しているとするとき、これは「直接的に連結」している場合だけではなく、その中間に他の素子を間において「電気的に連結」している場合も含む。また、ある部分がある構成要素を「含む」とするとき、これは特に反対となる記載がない限り、他の構成要素を除くのではなく、他の構成要素をさらに含むことを意味する。
【００２７】
本発明に係る立体映像表示装置は、液晶表示装置（Ｌｉｑｕｉｄ  Ｃｒｙｓｔａｌ  Ｄｉｓｐｌａｙ、ＬＣＤ）、電界放出表示装置（Ｆｉｅｌｄ  Ｅｍｉｓｓｉｏｎ  Ｄｉｓｐｌａｙ、ＦＥＤ）、プラズマ表示パネル（Ｐｌａｓｍａ  Ｄｉｓｐｌａｙ  Ｐａｎｅｌ、ＰＤＰ）、有機発光表示装置（Ｏｒｇａｎｉｃ  Ｌｉｇｈｔ  Ｅｍｉｔｔｉｎｇ  Ｄｉｓｐｌａｙ）などの多様な平板表示装置で実現することができる。以下、説明の便宜のために有機発光表示装置を例示して説明するが、本発明に係る立体映像表示装置はこれに制限されるものではない。
【００２８】
図１は、本発明の一実施形態に係る立体映像表示装置を示すブロック図である。
【００２９】
図１を参照すれば、立体映像表示装置は、表示部４００およびこれに連結した走査駆動部２００、データ駆動部３００、各駆動部２００、３００を制御する信号制御部１００を含む。
【００３０】
信号制御部１００は、外部装置から入力される映像信号（Ｒ、Ｇ、Ｂ）およびこの表示を制御する入力制御信号を受信する。映像信号（Ｒ、Ｇ、Ｂ）は各画素（ＰＸ）の輝度（ｌｕｍｉｎａｎｃｅ）情報を含んでおり、輝度は定められた数、例えば１０２４（＝２１０）、２５６（＝２８）、または６４（＝２６）個の階調（ｇｒａｙ）を有している。入力制御信号の例としては、垂直同期信号（Ｖｓｙｎｃ）と水平同期信号（Ｈｓｙｎｃ）、メインクロック（ＭＣＬＫ）、データイネーブル信号（ＤＥ）などがある。
【００３１】
信号制御部１００は、入力映像信号（Ｒ、Ｇ、Ｂ）と入力制御信号に基づいて入力映像信号（Ｒ、Ｇ、Ｂ）を表示部４００およびデータ駆動部３００の動作条件に適合するように適切に処理し、走査制御信号（ＣＯＮＴ１）、データ制御信号（ＣＯＮＴ２）、および映像データ信号（ＤＡＴ）を生成する。信号制御部１００は走査制御信号（ＣＯＮＴ１）を走査駆動部２００に伝達する。信号制御部１００はデータ制御信号（ＣＯＮＴ２）および映像データ信号（ＤＡＴ）をデータ駆動部３００に伝達する。映像データ信号（ＤＡＴ）は左眼映像データ信号および右眼映像データ信号を含む。
【００３２】
表示部４００は、複数の走査線（Ｓ１〜Ｓｎ）、複数のデータ線（Ｄ１〜Ｄｍ）、および複数の信号線（Ｓ１〜Ｓｎ、Ｄ１〜Ｄｍ）に連結しており、大略行列形態で配列される複数の画素（ＰＸ）を含む。複数の走査線（Ｓ１〜Ｓｎ）は大略行方向に延長して互いにほぼ平行し、複数のデータ線（Ｄ１〜Ｄｍ）は大略列方向に延長して互いにほぼ平行する。複数の走査線（Ｓ１〜Ｓｎ）は走査駆動部２００に連結し、複数のデータ線（Ｄ１〜Ｄｍ）はデータ駆動部３００に連結する。表示部４００の複数の画素（ＰＸ）は、外部から第１電源電圧（ＥＬＶＤＤ）および第２電源電圧（ＥＬＶＳＳ）の供給を受ける。
【００３３】
走査駆動部２００は複数の走査線（Ｓ１〜Ｓｎ）に連結し、走査制御信号（ＣＯＮＴ１）によってスイッチングトランジスタ（図２のＭ１参照）をターンオン（ｔｕｒｎ  ｏｎ）させるゲートオン電圧（Ｖｏｎ）とターンオフ（ｔｕｒｎ  ｏｆｆ）させるゲートオフ電圧（Ｖｏｆｆ）の組み合わせからなる走査信号を複数の走査線（Ｓ１〜Ｓｎ）に印加する。走査駆動部２００は、複数の画素（ＰＸ）にデータ信号が印加されるように走査信号を複数の走査線（Ｓ１〜Ｓｎ）に印加する。
【００３４】
データ駆動部３００は複数のデータ線（Ｄ１〜Ｄｍ）に連結し、映像データ信号（ＤＡＴ）による階調電圧を選択する。データ駆動部３００はデータ制御信号（ＣＯＮＴ２）によって選択した階調電圧をデータ信号として複数のデータ線（Ｄ１〜Ｄｍ）に印加する。データ信号は、左眼映像を表示するための左眼映像データおよび右眼映像を表示するための右眼映像データを含む。データ駆動部３００は、左眼映像を表示するための左眼映像データおよび右眼映像を表示するための右眼映像データをフレーム単位交換方式によって複数のデータ線（Ｄ１〜Ｄｍ）に印加する。フレーム単位交換方式については後述して説明する。
【００３５】
上述した駆動装置１００、２００、３００それぞれは、少なくとも１つの集積回路チップの形態で表示部４００上に直接装着されたり、可撓性印刷回路膜（ｆｌｅｘｉｂｌｅ  ｐｒｉｎｔｅｄ  ｃｉｒｃｕｉｔ  ｆｉｌｍ）上に装着されたり、ＴＣＰ（ｔａｐｅ  ｃａｒｒｉｅｒ  ｐａｃｋａｇｅ）の形態で表示部４００に付着されたり、別途の印刷回路基板（ｐｒｉｎｔｅｄ  ｃｉｒｃｕｉｔ  ｂｏａｒｄｄ）上に装着されてもよい。また、駆動装置１００、２００、３００は、信号線（Ｓ１〜Ｓｎ、Ｄ１〜Ｄｍ）と共に表示部４００に集積されてもよい。
【００３６】
図２は、一実施形態に係る画素を示す回路図である。
【００３７】
図２を参照すれば、有機発光表示装置の画素（ＰＸ）は、有機発光ダイオード（ＯＬＥＤ）および有機発光ダイオード（ＯＬＥＤ）を制御するための画素回路１０を含む。画素回路１０は、スイッチングトランジスタ（Ｍ１）、駆動トランジスタ（Ｍ２）、および維持キャパシタ（Ｃｓｔ）を含む。
【００３８】
ここでは、画素回路１０が２つのトランジスタと１つのキャパシタで構成されることを例示して説明するが、有機発光表示装置の画素回路は多様に構成されて動作することができ、本発明に係る立体映像表示装置は画素回路の構成に制限されるものではない。
【００３９】
スイッチングトランジスタ（Ｍ１）は、走査線（Ｓｉ）に連結するゲート電極、データ線（Ｄｊ）に連結する一端、および駆動トランジスタ（Ｍ２）のゲート電極に連結する他端を含む。
【００４０】
駆動トランジスタ（Ｍ２）は、スイッチングトランジスタ（Ｍ１）の他端に連結するゲート電極、第１電源（ＥＬＶＤＤ）に連結する一端、および有機発光ダイオード（ＯＬＥＤ）のアノード電極に連結する他端を含む。
【００４１】
維持キャパシタ（Ｃｓｔ）は、駆動トランジスタ（Ｍ２）のゲート電極に連結する一端および駆動トランジスタ（Ｍ２）の一端に連結する他端を含む。維持キャパシタ（Ｃｓｔ）は駆動トランジスタ（Ｍ２）のゲート電極に印加されるデータ電圧を充電し、スイッチングトランジスタ（Ｍ１）がターンオフされた後にもこれを維持する。
【００４２】
有機発光ダイオード（ＯＬＥＤ）は、駆動トランジスタ（Ｍ２）の他端に連結するアノード電極および第２電源（ＥＬＶＳＳ）に連結するカソード電極を含む。
【００４３】
スイッチングトランジスタ（Ｍ１）および駆動トランジスタ（Ｍ２）はｐチャンネル電界効果トランジスタであってもよい。このとき、スイッチングトランジスタ（Ｍ１）および駆動トランジスタ（Ｍ２）をターンオンさせるゲートオン電圧は論理ローレベル電圧であり、ターンオフさせるゲートオフ電圧は論理ハイレベル電圧である。
【００４４】
ここでは、ｐチャンネル電界効果トランジスタを示したが、スイッチングトランジスタ（Ｍ１）および駆動トランジスタ（Ｍ２）のうちの少なくともいずれか１つはｎチャンネル電界効果トランジスタであってもよく、このとき、ｎチャンネル電界効果トランジスタをターンオンさせるゲートオン電圧は論理ハイレベル電圧であり、ターンオフさせるゲートオフ電圧は論理ローレベル電圧である。
【００４５】
走査線（Ｓｉ）にゲートオン電圧（Ｖｏｎ）が印加されればスイッチングトランジスタ（Ｍ１）はターンオンされ、データ線（Ｄｊ）に印加されるデータ信号はターンオンされたスイッチングトランジスタ（Ｍ１）を介して維持キャパシタ（Ｃｓｔ）の一端に印加され、維持キャパシタ（Ｃｓｔ）を充電させる。駆動トランジスタ（Ｍ２）は維持キャパシタ（Ｃｓｔ）に充電された電圧値に対応して第１電源（ＥＬＶＤＤ）から有機発光ダイオード（ＯＬＥＤ）に流れる電流量を制御する。第１電源（ＥＬＶＤＤ）から駆動トランジスタ（Ｍ２）を介して流れる電流が有機発光ダイオード（ＯＬＥＤ）に流れる。有機発光ダイオード（ＯＬＥＤ）は駆動トランジスタ（Ｍ２）を介して流れる電流量に対応する光を生成する。
【００４６】
有機発光ダイオード（ＯＬＥＤ）は基本色（ｐｒｉｍａｒｙ  ｃｏｌｏｒ）のうちの１つの光を出してもよい。基本色の例としては、赤色、緑色、青色の三原色が挙げられるが、これらの三原色の空間的な合計または時間的な合計によって所望する色を表示する。この場合に、一部の有機発光ダイオード（ＯＬＥＤ）は白色の光を出してもよく、このようにすれば輝度が高まる。これとは異なり、すべての画素（ＰＸ）の有機発光ダイオード（ＯＬＥＤ）が白色の光を出してもよく、一部の画素（ＰＸ）は有機発光ダイオード（ＯＬＥＤ）から出る白色光を基本色の光のうちのいずれか１つに変えるカラーフィルタ（図示せず）をさらに含んでもよい。
【００４７】
立体映像表示装置において、左眼映像データ、右眼映像データ、およびブラックデータのうちのいずれか１つが表示部４００に含まれる複数の画素に入力される過程は次のとおりである。
【００４８】
走査駆動部２００は、信号制御部１００から伝達される走査制御信号（ＣＯＮＴ１）によって複数の走査線（Ｓ１〜Ｓｎ）に順次にゲートオン電圧の走査信号を印加する。ゲートオン電圧の走査信号はスイッチングトランジスタ（Ｍ１）をターンオンさせる。このとき、データ駆動部３００は、ゲートオン電圧が印加される走査線に連結した複数の画素にデータ信号（左眼映像データ、右眼映像データ、およびブラックデータのうちのいずれか１つ）を印加する。データ信号はターンオンされたスイッチングトランジスタ（Ｍ１）を介して維持キャパシタ（Ｃｓｔ）の一端に流れ、維持キャパシタ（Ｃｓｔ）を充電させる。駆動トランジスタ（Ｍ２）は維持キャパシタ（Ｃｓｔ）に充電された電圧値に対応して第１電源（ＥＬＶＤＤ）から有機発光ダイオード（ＯＬＥＤ）に電流を流して送る。有機発光ダイオード（ＯＬＥＤ）は駆動トランジスタ（Ｍ２）を介して流れる電流量に対応する光を生成する。
【００４９】
このような方式により、１番目の走査線（Ｓ１）からｎ番目の走査線（Ｓｎ）それぞれに連結した複数の画素に順次にデータ信号（左眼映像データ、右眼映像データ、およびブラックデータのうちのいずれか１つ）が入力される。
【００５０】
次に、シャッタ眼鏡を用いる時分割方式の立体映像表示装置の駆動動作について説明する。
【００５１】
１フレームとは、立体映像表示装置に表示される映像を区分する単位である。立体映像を表示するためには、左眼映像および右眼映像が時間的に区分されて表示されたり、空間的に分離されて表示されなければならない。
【００５２】
本発明の実施形態では、左眼映像および右眼映像を時間的に区分して立体映像を表示する。左眼映像および右眼映像を時間的に区分して立体映像を表示する方式を時分割方式という。時分割方式において、立体映像の１フレームとは、左眼映像および右眼映像が画面全体に時間的に分離されて表示される立体映像の単位映像を意味する。１フレーム上の互いに対応する左眼映像と右眼映像は、視聴者に立体映像として認識される。
【００５３】
図３は、映像単位交換方式の立体映像表示装置の駆動動作の一例を示す図である。
【００５４】
図３を参照すれば、シャッタ眼鏡を用いる時分割方式の立体映像表示装置における左右映像表示方式は映像単位交換方式を含む。映像単位交換方式は、左眼映像と右眼映像を交互に表示する方式である。このとき、左眼映像データと右眼映像データの間および右眼映像データと左眼映像データの間には、左右映像を分離するためのブラックデータが複数の画素に入力される。ブラックデータは、左眼映像が右眼に示されたり右眼映像が左眼に示されることによって立体感が低下することを防ぐために入力される。
【００５５】
例えば、図に示すように、第ｎフレームで左眼映像データ（Ｌｎ）が複数の画素に順次に入力され、ブラックデータ（Ｂ）が複数の画素に入力される。ブラックデータ（Ｂ）が入力された後、左眼映像データ（Ｌｎ）と重ならない視点で右眼映像データ（Ｒｎ）が複数の画素に順次に入力される。右眼映像データ（Ｒｎ）が入力された後にブラックデータ（Ｂ）が入力される。すなわち、第ｎフレームにおいて、左眼映像データ（Ｌｎ）、ブラックデータ（Ｂ）、右眼映像データ（Ｒｎ）、およびブラックデータ（Ｂ）が順に複数の画素に入力される。第ｎ＋１フレームでも第ｎフレームと同じ順序で、左眼映像データ（Ｌｎ＋１）、ブラックデータ（Ｂ）、右眼映像データ（Ｒｎ＋１）、およびブラックデータ（Ｂ）が複数の画素に入力される。
【００５６】
言い換えれば、映像単位交換方式は、第１視点（ｖｉｅｗ  ｐｏｉｎｔ）のための映像と第２視点のための映像すべてのフレームにおいて、同じ順序で交互に表示される方式である。
【００５７】
以下、第１視点は左眼および右眼のうちのいずれか１つを指示し、第２視点は第１視点とは異なるいずれか１つを指示する。第１視点のための映像を第１視点映像、第２視点のための映像を第２視点映像とする。第１視点映像のためのデータを第１視点映像データ、第２視点映像のためのデータを第２視点映像データとする。
【００５８】
映像単位交換方式では、１つの立体映像を表示するための１フレーム上で、第１視点映像データ、ブラックデータ、第２視点映像データ、ブラックデータの順で４回のデータ入力が行われる。これにより、立体映像表示装置は、２Ｄ表示装置よりも４倍速い駆動速度で複数の画素にデータを入力しなければならない。例えば、２Ｄ表示装置では６０Ｈｚで表示される映像を、立体映像表示装置では２４０Ｈｚで表示しなければならない。また、立体映像表示装置は、ブラックデータの挿入によって２Ｄ表示装置に比べて映像の輝度が１／２に減少することがある。これを補うために、立体映像表示装置は２倍の輝度で映像を出力しなければならないが、このために電力消費量が上昇するようになる。
【００５９】
以下、提案するフレーム単位交換方式について説明する。
【００６０】
図４は、本発明の一実施形態に係るフレーム単位交換方式の立体映像表示装置の駆動動作を示す図である。図５は、本発明に一実施形態に係るフレーム単位交換方式の立体映像表示装置の駆動方法を示すフローチャートである。
【００６１】
図４および図５を参照すれば、シャッタ眼鏡を用いる時分割方式の立体映像表示装置における左右映像表示方式はフレーム単位交換方式を含む。フレーム単位交換方式は互いに対応する第１視点映像と第２視点映像を交互に表示するが、フレーム単位で第１視点映像と第２視点映像の順序を変えて表示する方式である。
【００６２】
立体映像表示装置は、表示部４００に第１視点のための第１映像を表示する（Ｓ１１０）。すなわち、表示部４００に含まれている複数の画素に第１視点のための第１映像データが順次に入力されて第１映像が表示される。
【００６３】
第１映像を表示した後、立体映像表示装置は、表示部４００に第２視点のための第２映像を表示する（Ｓ１２０）。すなわち、表示部４００に含まれている複数の画素に第２視点のための第２映像データが順次に入力されて第２映像が表示される。立体映像の表示のために、第１映像は第２映像に対応する映像として、ユーザは第１映像および第２映像によって１つの立体映像を認識する。すなわち、第１映像データおよび第２映像データは立体映像１フレームを表示するための映像データである。
【００６４】
一方、第１映像データを入力した後、第２映像データが入力される前に複数の画素にブラックデータが入力される。ブラックデータは複数の画素に順次に入力されてもよい。
【００６５】
第２映像を表示した後、立体映像表示装置は、表示部４００に第２視点のための第３映像を表示する（Ｓ１３０）。すなわち、表示部４００に含まれている複数の画素に第２視点のための第３映像データが順次に入力されて第３映像が表示される。
【００６６】
第３映像を表示した後、立体映像表示装置は、表示部４００に第１視点のための第４映像を表示する（Ｓ１４０）。すなわち、表示部４００に含まれている複数の画素に第１視点のための第４映像データが順次に入力されて第４映像が表示される。立体映像の表示のために、第３映像は第４映像に対応する映像として、ユーザは第３映像および第４映像によって異なる一つの立体映像を認識する。すなわち、第３映像データおよび第４映像データは、第１映像データおよび第２映像データによる立体映像１フレームと異なる立体映像１フレームを表示するための映像データである。
【００６７】
一方、第３映像データを入力した後、第４映像データが入力される前に複数の画素にブラックデータが入力される。
【００６８】
このように、フレーム単位交換方式によって立体映像表示装置は、ｎ番目のフレームで第１視点映像データ、ブラックデータ、第２視点映像データの順で複数の画素に順次に入力し、ｎ＋１番目フレームで第２視点映像データ、ブラックデータ、第１視点映像データの順で複数の画素に入力する。
【００６９】
例えば、図４に示すように、第ｎフレームでは左眼映像データ（Ｌｎ）が複数の画素に入力された後にブラックデータ（Ｂ）が入力され、ブラックデータ（Ｂ）が入力された後に左眼映像データ（Ｌｎ）に対応する右眼映像データ（Ｒｎ）が入力される。また、第ｎ＋１フレームでは右眼映像データ（Ｒｎ＋１）が複数の画素に入力した後にブラックデータ（Ｂ）が入力され、ブラックデータ（Ｂ）が入力された後に右眼映像データ（Ｒｎ＋１）に対応する左眼映像データ（Ｌｎ＋１）が入力される。第ｎ＋２フレームでは左眼映像データ（Ｌｎ＋２）が複数の画素に入力された後にブラックデータ（Ｂ）が入力され、ブラックデータ（Ｂ）が入力された後に左眼映像データ（Ｌｎ＋２）に対応する右眼映像データ（Ｒｎ＋２）が入力される。
【００７０】
ブラックデータは、各フレームで立体映像表示のために互いに対応する左眼映像データと右眼映像データの間に１回ずつ入力される。第ｎフレームで右眼映像データ（Ｒｎ）が複数の画素に入力された後、第ｎ＋１フレームで右眼映像データ（Ｒｎ＋１）が複数の画素に入力されるため、左右映像を分離するためのブラックデータが入力される必要がない。また、第ｎ＋１フレームで左眼映像データ（Ｌｎ＋１）が複数の画素に入力された後、第ｎ＋２フレームで左眼映像データ（Ｌｎ＋２）が複数の画素に入力されるため、左右映像を分離するためのブラックデータが入力される必要がない。すなわち、フレームの間には同じ視点の映像データが複数の画素に入力されるためブラックデータが入力される必要がなく、これにより、立体映像を表示するための１フレーム上には第１視点映像データ、ブラックデータ、第２視点映像データの３回のデータ入力が行われる。
【００７１】
一方、表示部４００に含まれる複数の画素にフレーム単位交換方式によって左眼映像データおよび右眼映像データを入力するデータ駆動部３００は、第１視点のためのデータを出力する第１データ駆動部、第２視点のためのデータを出力する第２データ駆動部、および第１データ駆動部と第２データ駆動部の出力の間にブラックデータを出力するブラックデータ駆動部で構成されてもよい。
【００７２】
第１データ駆動部は複数の画素に第１視点のための第１映像データを出力し、第１映像データを出力した後に第１視点のための第２映像データを出力する。第２データ駆動部は第１データ駆動部で第２映像データが出力された後に複数の画素に第２視点のための第３映像データを出力し、第３映像データを出力した後に第２視点のための第４映像データを出力する。ブラックデータ駆動部は第１データ駆動部で第２映像データが出力された後、第２データ駆動部で第３データが出力される前に複数の画素にブラックデータを出力する。立体映像１フレームを表示するための映像データは、ブラックデータによって区分される第２映像データと第３映像データである。
【００７３】
図６は、本発明の一実施形態に係るフレーム単位交換方式と映像単位交換方式を比較して示す図である。
【００７４】
図６を参照すれば、映像単位交換方式では、１フレームに左眼映像データ、右眼映像データ、および２つのブラックデータが複数の画素に入力される。フレーム単位交換方式では、１フレームに左眼映像データ、右眼映像データ、および１つのブラックデータが複数の画素に入力される。
【００７５】
映像単位交換方式によって駆動する立体映像表示装置は１フレームに４回のデータ入力を行わなければならない反面、フレーム単位交換方式によって駆動する立体映像表示装置は１フレームに３回のデータ入力を行う。
【００７６】
これにより、フレーム単位交換方式によって駆動する立体映像表示装置は、映像単位交換方式によって駆動する立体映像表示装置に比べて複数の画素にデータを入力する駆動速度を低めることができる。例えば、２Ｄ表示装置では６０Ｈｚで表示される映像が映像単位交換方式によって駆動する立体映像表示装置では２４０Ｈｚで表示される反面、フレーム単位交換方式によって駆動する立体映像表示装置では１８０Ｈｚで示される。
【００７７】
また、映像単位交換方式によって駆動する立体映像表示装置では１フレームに２回のブラックデータが入力されて輝度が１／２に減少する反面、フレーム単位交換方式によって駆動する立体映像表示装置では１フレームに１回のブラックデータが入力されて輝度が１／３減少する。すなわち、フレーム単位交換方式によって駆動する立体映像表示装置は、映像単位交換方式によって駆動する立体映像表示装置に比べて輝度減少を減らすことができる。輝度減少が減るため、フレーム単位交換方式によって駆動する立体映像表示装置は、輝度減少を補完するために高めなければならない映像の出力を映像単位交換方式によって駆動する立体映像表示装置よりも少なく高めてもよいため、消費電力を低めることができる。
【００７８】
図７は、本発明の一実施形態に係る立体映像表示装置のためのシャッタ眼鏡を簡略に示すブロック図である。図８は、本発明の一実施形態に係る立体映像表示装置のためのシャッタ眼鏡の動作を示す図である。
【００７９】
図７および図８を参照すれば、立体映像表示装置３０は時分割方式によって第１視点映像および第２視点映像を表示し、第１視点映像および第２視点映像が表示される時間を指示する同期信号をシャッタ眼鏡２０に伝達する。シャッタ眼鏡２０は立体映像表示装置３０から同期信号を受信し、同期信号によって第１視点映像をユーザの第１視点に可視化させ、第２視点映像をユーザの第２視点に可視化させる。
【００８０】
このために、シャッタ眼鏡２０は、立体映像表示装置３０で表示される第１視点映像が可視化するように開閉する第１シャッタ２１、第２視点映像が可視化するように開閉する第２シャッタ２２、および立体映像表示装置３０に同期されて第１シャッタ２１および第２シャッタ２２を駆動させるシャッタ駆動部２５を含む。シャッタ駆動部２５は、同期信号によって第１シャッタ２１および第２シャッタ２２を交互に開閉させる開閉信号を第１シャッタ２１および第２シャッタ２２に伝達し、第１シャッタ２１および第２シャッタ２２は開閉信号によって交互に開放する。
【００８１】
立体映像表示装置３０でフレーム単位交換方式によって第１視点映像および第２視点映像が表示され、これを指示する同期信号がシャッタ眼鏡２０に伝達されるとしよう。フレーム単位交換方式により、シャッタ駆動部２５は第１視点のための第１映像が可視化するように前記第１シャッタ２１を開放させ、第１映像が可視化した後に第２視点のための第２映像が可視化するように第２シャッタ２２を開放させる。また、シャッタ駆動部２５は、第２映像が可視化した後に第２視点のための第３映像が可視化するように前記第２シャッタ２２を開放させ、第３映像が可視化した後に第１視点のための第４映像が可視化するように第１シャッタ２１を開放させる。
【００８２】
例えば、図８に示すように、第ｎフレームにおいて、左眼映像（Ｌｎ）が表示されるｔ１時点まで左側（Ｌ）シャッタが開放する。右側（Ｒ）シャッタはｔ１時点以後に右眼映像（Ｒｎ）が表示されるときに開放し、第ｎ＋１フレームで連続して表示される右眼映像（Ｒｎ＋１）が表示されるｔ２時点まで開放する。左側（Ｌ）シャッタはｔ２時点以後に第ｎ＋１フレームで左眼映像（Ｌｎ＋１）が表示されるときに開放し、第ｎ＋２フレームで連続して表示される左眼映像（Ｌｎ＋２）が表示されるｔ３時点まで開放する。
【００８３】
映像単位交換方式によって駆動する立体映像表示装置に同期されて両側シャッタを開閉するシャッタ眼鏡の場合、１フレームあたり両側のシャッタを１回ずつ開閉しなければならない。しかしながら、フレーム単位交換方式によって駆動する立体映像表示装置に同期されて第１シャッタ２１および第２シャッタ２２を交互に開放するシャッタ眼鏡２０は、１フレームあたり第１シャッタ２１および第２シャッタ２２のうちのいずれか１つのみを開閉する。
【００８４】
すなわち、映像単位交換方式によって駆動する立体映像表示装置に比べ、フレーム単位交換方式によって駆動する立体映像表示装置は、シャッタ眼鏡２０はシャッタの開閉駆動速度を低めることができる。
【００８５】
以上、参照した図面と記載された発明の詳細な説明は本発明の例示的なものに過ぎず、これは単に本発明を説明するための目的として用いられたものであり、意味の限定や特許請求の範囲に記載された本発明の範囲を制限するために用いられたものではない。したがって、本技術分野において通常の知識を有する者であれば、これらの記載から多様な変形および均等する他の実施形態が可能であるという点を理解できるであろう。したがって、本発明の真の技術的な保護範囲は、添付された特許請求の範囲の技術的な思想によって定められなければならない。
【符号の説明】
【００８６】
１００：信号制御部
２００：走査駆動部
３００：データ駆動部
４００：表示部
２０：シャッタ眼鏡
２１：第１シャッタ
２２：第２シャッタ
２５：シャッタ駆動部
【図１】
2012105245.tif 000003
【図２】
2012105245.tif 000004
【図３】
2012105245.tif 000005
【図４】
2012105245.tif 000006
【図５】
2012105245.tif 000007
【図６】
2012105245.tif 000008
【図７】
2012105245.tif 000009
【図８】
2012105245.tif 000010